(57)【要約】【課題】外科用Ｘ線装置において、使用中に滅菌カバーが剥がれること防ぎ、且つ、使用後は容易にカバーを取り外すことができるようにする。【解決手段】Ｘ線装置の表面の複数箇所に滅菌カバー１ａ、１ｂ、および１ｃを粘着により取り付けるための被着面８を設けた。被着面８は、粘着スポット７が適度の粘着力で張り付き、且つ、容易に剥がせる表面状態を有するもので、そのような表面を有するシートを接着することにより形成する。これにより、滅菌カバー１ａ、１ｂ、および１ｃの装着が確実になり、また容易に取り外すことが可能となる。また、被着面８は他と異なる表面を有するので、貼り付け位置が明瞭にわかり、装着作業が容易になる。【選択図】          図１
0003120152.tif 000002
【実用新案登録請求の範囲】
【請求項１】
Ｘ線管部とＸ線受像部がアームの両端に対向して設けられて成る外科用Ｘ線装置であって、該Ｘ線装置の全体または一部を覆う軟質フィルム状の材料から成る滅菌カバーを粘着により着脱可能なものにおいて、該Ｘ線装置表面に前記滅菌カバーを粘着するための複数箇所の被着面を設けたことを特徴とする外科用Ｘ線装置。
【請求項２】
前記被着面に、これに対応する前記滅菌カバーの粘着箇所と照合可能な照合表示を施したことを特徴とする請求項１に記載の外科用Ｘ線装置。
【請求項３】
請求項２に記載の外科用Ｘ線装置用の滅菌カバーであって、前記被着面と照合可能な照合表示を施したことを特徴とする滅菌カバー。
【考案の詳細な説明】
【技術分野】
【０００１】
本考案は、主として手術室で使用される外科用Ｘ線装置に関する。
【背景技術】
【０００２】
外科用Ｘ線装置は、一般にＣアームと呼ばれる半円形のアームの一端にＸ線管部が、他端にＸ線受像部が取り付けられ、Ｃアームの自在な動きにより位置決めができるように構成されている（例えば、特許文献１参照）。
【０００３】
図２に移動式の外科用Ｘ線装置の従来例を示す。この装置は、Ｘ線管と高電圧発生部を一体の容器に収めたモノタンク式のＸ線管部２と、被検体を透過したＸ線を受けて影像化するイメージ管（イメージインテンシファイア等）とその出力像を撮影するＴＶカメラ等から構成されるＸ線受像部３と、これらを両端に保持するＣアーム４と、Ｃアーム４の軸回転、上下動、円弧スライドなど自在な動きを可能にする支持部６を介してＣアーム４を支えると共に制御盤等を搭載する台車５などで構成される。
【０００４】
Ｘ線管部２、Ｘ線受像部３、およびＣアーム４は患者や医師と接触する可能性があるので、手術中は滅菌カバーで覆われる。滅菌カバーは、装着する部分の形状に合わせて軟質ポリエステル樹脂フィルム等で作られた使い捨てタイプであり、装着しやすいように各部分ごとに分割されている。滅菌カバーの取り付けは、滅菌カバー上の複数箇所に予め両面テープの小片を取り付けて作った粘着スポットを装置の表面に押し付けることによって貼り付ける。つまり、滅菌カバーは粘着により取り付けられる。両面テープで広い面に渡って全面的に貼り付けると装脱に手間が掛かるので、スポット状に複数箇所で貼り付ける。
【０００５】
【特許文献１】特開２００５−１６０６６４号公報
【考案の開示】
【考案が解決しようとする課題】
【０００６】
滅菌カバーは、貼り付け対象となる装置表面の材質や塗装の違いにより粘着スポットの粘着力が異なる。そのため、粘着力が強過ぎるとカバーを外す際に粘着スポットの両面テープが剥がれて装置表面に残ることがある。逆に、粘着力が弱過ぎると装置使用中にカバーが剥がれてくるという問題が生じることがある。しかも、貼り付け対象となる装置は材質の異なる複数の部材で構成されているので、貼り付け箇所により粘着力に差があり、粘着スポットを作るための両面テープの選定にも困難さがあった。
また、Ｃアームに滅菌カバーを取り付ける際、カバーする範囲が広いため、不慣れな者には粘着スポットを貼り付ける位置がわかり難く、取り付けに手間取ることがあった。
【０００７】
本考案はこのような事情に鑑みてなされたものであり、使用中に滅菌カバーが剥がれることがなく、且つ、使用後は容易にカバーを取り外すことができるようにすることを第１の目的とし、また滅菌カバーを誰にでも容易に装着できるようにすることを第２の目的とする。  
【課題を解決するための手段】
【０００８】
本考案は、上記課題を解決するために、Ｘ線装置の表面の複数箇所に滅菌カバーを粘着により取り付けるための被着面を設けた。被着面は、滅菌カバー上の粘着スポットが適度な粘着力で貼り付けられ、且つ、容易に剥がせる表面状態を有するもので、そのような表面を有するシートを接着することにより形成する。
【考案の効果】
【０００９】
本考案は上記のように構成されているので、滅菌カバーの装着が確実になり、また容易に取り外すことが可能となる。また、被着面は他と異なる表面を有するので、貼り付け位置が明瞭にわかり、装着作業が容易になる。さらにまた、被着面とそこに貼り付けるべき滅菌カバー上の粘着スポットの位置に同じ照合表示を施すことにより装着作業はさらに容易になる。
【考案を実施するための最良の形態】
【００１０】
本考案が提供する外科用Ｘ線装置の特徴は、装置表面に滅菌カバーを粘着により取り付けるための複数箇所の被着面を設けるように構成した点にある。
従って、最良の形態の基本的な構成は、そのような被着面を備えた外科用Ｘ線装置である。
【実施例１】
【００１１】
図１に本考案の一実施例を示す。同図中で、図２と同じ符号を付して示すものは図２と同一物である。
本実施例においては、Ｘ線装置としての全体構成は図２に示す従来例と同じであるが、Ｘ線受像部３、Ｃアーム４、およびＸ線管部２がそれぞれ軟質フィルム製の滅菌カバー１ａ、１ｂ、および１ｃで覆われていることが図２と相違する。
【００１２】
各滅菌カバー１ａ、１ｂ、および１ｃには複数箇所に予め両面テープの小片を貼り付けた粘着スポット７が設けられており、これらを装置表面の粘着スポット７を貼り付けるべき位置に予め設けた被着面８に押し付けて貼り付ける。被着面８は、粘着スポット７を貼り付けたとき適度な粘着力が得られるような表面を持つ材料、例えばポリエステル樹脂、或いはステンレス等のごく薄い（例えば厚さ０．０５〜０．１ｍｍ）シート状材料を接着することにより形成する。これにより、装置各部の表面の違いによらず一定の粘着力で滅菌カバー１ａ、１ｂ、および１ｃを取り付けることができる。
なお、図示例では被着面８は円形であるが、これは四角形、またはその他の形状であっても差し支えない。
【００１３】
被着面８はその周辺の装置表面とは異なる表面を持つので、貼り付け位置が明瞭にわかり、従来に比べてカバー装着作業が容易になる。さらに、各被着面８に異なる番号等を表記し、或いは異なる色で塗装を施しておき、これに対応する粘着スポット７に同じ番号や色を表示した滅菌カバー１ａ、１ｂ、および１ｃを用意すれば、カバー装着作業に際して粘着スポット７と被着面８との照合が容易になり、作業性がさらに向上する。
【００１４】
以上、半円形のＣアームを有する装置を例示して説明したが、本考案はこれに限らず、例えばＵ字形のアームを有する外科用Ｘ線装置に対しても適用できる。
【産業上の利用可能性】
【００１５】
本考案は外科用Ｘ線装置に利用できる。
【図面の簡単な説明】
【００１６】
【図１】本考案の一実施例を示す図である。
【図２】従来の構成を示す図である。
【符号の説明】
【００１７】
１ａ  滅菌カバー
１ｂ  滅菌カバー
１ｃ  滅菌カバー
２  Ｘ線管部
３  Ｘ線受像部
４  Ｃアーム
５  台車
６  支持部
７  粘着スポット
８  被着面
【図１】
0003120152.tif 000003
【図２】
0003120152.tif 000004